(57)【特許請求の範囲】
【請求項１】
床面上に載置され、背面上縁に木材等の長尺物の上部を立て掛けて支持するようにした陳列装置において、
左右両側の前下端部同士を前部連結杆により連結し、該連結杆に、抑え板の前部を載置し、前部から後部に向かって下向きに傾斜する前記抑え板の後端を直接床面上に載置して、該抑え板上に載置した長尺物の重量が、前記前部連結杆にかかるようにしたことを特徴とする長尺物の陳列装置。
【請求項２】
前部連結杆の下端面を、左右両側の前下端部の下面とほぼ同一水平面とした請求項１記載の長尺物の陳列装置。
【請求項３】
前部連結杆を、矩形断面の連結杆本体と、その両端に形成された下向きフックとを有するものとし、該下向きフックを、前下端部に形成した係止孔に係合させた請求項１または２記載の長尺物の陳列装置。
【請求項４】
抑え板の前縁に、前部連結杆の前面に係合することにより、抑え板の後方への移動を阻止する垂下部を設けた請求項１〜３のいずれかに記載の長尺物の陳列装置。
【請求項５】
抑え板の前部下面に、前部連結杆の後面に係合することにより、抑え板の前方への移動を阻止する突起部を設けた請求項１〜４のいずれかに記載の長尺物の陳列装置。
【発明の詳細な説明】
【０００１】
【発明の属する技術分野】
本発明は、ホームセンター、バラエティーストア、建築材料店等において使用される材木、パイプ、物干し竿等の長尺物の陳列装置に関する。
【０００２】
【従来の技術】
従来の長尺物の陳列装置は、例えば図６に示すように、左右１対の支柱(１)(１)同士を、左右方向を向く上下部連結杆(２)により連結し、かつ各支柱(１)の下端部に、前方に延びる水平脚(３)を強固に取り付けてなり、水平脚(３)の前端をアンカー(４)により床面に止めていた。長尺物(５)は、その下端を床面に直接載置し、上部を上部連結杆(２)に立て掛けて陳列される。
図示の例のように、支柱(１)が後部だけに設けられた陳列装置の他に、前後１対の支柱により側枠を形成するようにしたものもあるが、長尺物の載置の仕方は同じである。
【０００３】
【発明が解決しようとする課題】
このような従来の長尺物陳列装置では、陳列する長尺物の本数が多い場合には、後部の支柱の下端を中心とする後ろ向きのモーメントが働き、装置の前部が浮き上がるという問題点がある。
【０００４】
本発明は、上述の問題点に鑑み、陳列する長尺物の本数が多い場合でも、装置前部が浮き上がることがない、安定した長尺物陳列装置を提供することを目的としている。
【０００５】
【課題を解決するための手段】
本発明によると、上記課題は、次のようにして解決される。
(１) 床面上に載置され、背面上縁に木材等の長尺物の上部を立て掛けて支持するようにした陳列装置において、左右両側の前下端部同士を前部連結杆により連結し、該連結杆に、抑え板の前部を載置し、前部から後部に向かって下向きに傾斜する前記抑え板の後端を直接床面上に載置して、該抑え板上に載置した長尺物の重量が、前記前部連結杆にかかるようにする。
【０００６】
(２) 上記(１)項において、前部連結杆の下端面を、左右両側の前下端部の下面とほぼ同一水平面とする。
【０００７】
(３) 上記(１)または(２)項において、前部連結杆を、矩形断面の連結杆本体と、その両端に形成された下向きフックとを有するものとし、該下向きフックを、前下端部に形成した係止孔に係合させる。
【０００８】
(４) 上記(１)〜(３)項のいずれかにおいて、抑え板の前縁に、前部連結杆の前面に係合することにより、抑え板の後方への移動を阻止する垂下部を設ける。
【０００９】
(５) 上記(１)〜(４)項のいずれかにおいて、抑え板の前部下面に、前部連結杆の後面に係合することにより、抑え板の前方への移動を阻止する突起部を設ける。
【００１０】
【発明の実施の形態】
図１は、本発明の一実施形態を示す斜視図であって、抑え板(６)を外した状態で示してある。
この長尺物の陳列装置は、前後左右の４本の支柱(1a)(1b)を有し、左右の後部支柱(1b)を上下部連結杆(2a)(2b)により連結し、前部支柱(1a)と後部支柱(1b)を複数本の横部材(７)及び筋交い(８)により連結し、かつ左右の前部支柱(1a)の下端間を、下部連結杆(９)により連結してなるものである。
【００１１】
前後部支柱(1a)(1b)の下端には、図２に明示するように、脚端金具(10)が取り付けられている。
【００１２】
下部連結杆(９)は、図３に示すように、矩形断面の鋼管材からなる連結杆本体(9a)と、その両端に溶接され、かつ外側端に後方を向く３個の下向きフック(11)が形成された平面視Ｌ字形の係合片(9b)とを有している。
下向きフック(11)は、図１に示す前部支柱(1a)の前面に穿設した一連の係止孔(12)の最下段のものに係止される。
【００１３】
係合片(9b)の下端は、連結杆本体(9a)の下端から若干上方にずれた位置に取り付けられており、これにより、上述の脚端金具(10)を逃げて、矩形断面の連結杆本体(9a)の下端面が、前部支柱(1a)の下端、正確には脚端金具(10)の下面とほぼ同一水平面となるようにしてある（図２参照）。
【００１４】
抑え板(６)は、図１（想像線）、図２及び図５に示すように、その前部が前部連結杆(９)の上に載り、かつ後端が直接に床面(13)上に載り、全体として、前端から後端に向って下向きに傾斜するような姿勢で置かれている。
【００１５】
このような構成であるので、図５に示すように、長尺物(５)を、その上部を上部連結杆(2a)に掛け、下端を抑え板(６)の上に載置した場合、その重量は、抑え板(６)の後端を支点として、前部連結杆(９)に下向きに作用する。しかして、前部連結杆(９)の両端に形成された下向きフック(11)は、左右両側の前下端部に形成された係止孔(12)に係合しているため、陳列装置の左右両側の前下端部を下方に押さえ込む。
【００１６】
前述のように、前部連結杆(９)の下端面は、陳列装置の左右両側の前下端部の下面とほぼ同一水平面とされているので、長尺物(５)の重量は、前部連結杆(９)の下端面を介して床面に分散する。
【００１７】
図４に示す変形例では、抑え板(６)の前縁部には、前下方に傾斜する垂下部(14)が一体に形成されており、抑え板(６)の後方への移動に対するストッパーとなっている。
また、抑え板(６)の前部の下面には、突起部(15)が突設され、抑え板(６)の前方移動を防止している。
【００１８】
抑え板(６)の材質は、合板、その他の木質材料のほか、縞鋼板等とすることもできる。
【００１９】
【発明の効果】
請求項１記載の発明によれば、前部連結杆にかかる長尺物の重量が、陳列装置の左右両側の前下端部の浮き上がりを防止する。また、長尺物の下部載置面が後方に傾斜しているため、長尺物は、後方から前方に向けてずれることはなく、安定して載せてゆくことができる。
【００２０】
請求項２記載の発明によると、長尺物の重量は前部連結杆の下面を介して床面に分散されるため、前部連結杆が長尺物の重量で撓むことがない。
【００２１】
請求項３記載の発明によると、連結杆本体が角管材であるのでコスト安であり、かつ下向きフックを係止孔に係止させるので、陳列装置の左右両側の前下端部を強固に押さえ込むことができるとともに、現地での取り付け取り外しが容易となる。
【００２２】
請求項４記載の発明によると、抑え板が前部連結杆から外れるのが防止され、かつ連結杆本体を前方から見えないように覆い隠すことができる。
【００２３】
請求項５記載の発明によると、抑え板が前部連結杆から外れるのを防止することができる。
【図面の簡単な説明】
【図１】本発明の一実施形態を、抑え板を外した状態で示す斜視図である。
【図２】同じく、要部の拡大縦断側面図である。
【図３】同じく、前部連結杆の拡大斜視図である。
【図４】同じく、抑え板の変形例を示す部分拡大縦断側面図である。
【図５】同じく、長尺物を立て掛けた状態を示す側面図である。
【図６】従来の長尺物陳列装置の斜視図である。
【符号の説明】
(１)支柱
(1a)前部支柱
(1b)後部支柱
(２)連結杆
(2a)上部連結杆
(2b)下部連結杆
(３)水平脚
(４)アンカー
(５)長尺物
(６)抑え板
(７)横部材
(８)筋交い
(９)前部連結杆
(9a)連結杆本体
(9b)係合片
(10)脚端金具
(11)フック
(12)係止孔
(13)床面
(14)垂下部
(15)突起部
【図１】
0003875418.tif 000002
【図２】
0003875418.tif 000003
【図３】
0003875418.tif 000004
【図４】
0003875418.tif 000005
【図５】
0003875418.tif 000006
【図６】
0003875418.tif 000007